(57)【特許請求の範囲】
【請求項１】
式（１）で表されるアルキレンオキシド誘導体１〜５０質量％、およびグリセリン５０〜９９質量％からなる衛生紙用柔軟剤。
ＲＯ（ＥＯ）m （ＰＯ）n Ｈ  ・・・（１）
（Ｒは水素原子または炭素数１〜４の炭化水素基である。ＥＯはオキシエチレン基、ＰＯはオキシプロピレン基を示す。ｍはオキシエチレン基の平均付加モル数で４０〜３００であり、ｎはオキシプロピレン基の平均付加モル数で２０〜１５０であり、かつｍ／ｎ＝３０／７０〜９５／５である。ＥＯとＰＯとはランダム付加である。）
【発明の詳細な説明】
【技術分野】
【０００１】
本発明は衛生紙用柔軟剤に関する。より詳細には、紙に良好な柔らかさ、なめらかさとしっとり感をバランスよく付与することができ、かつ紙力の低下を抑制することができる衛生紙用柔軟剤に関する。
【背景技術】
【０００２】
衛生紙、とりわけティシューペーパー、トイレットペーパーは、肌に直接触れて使用されるので、より良好な柔らかさとなめらかさが求められている。さらに近年では、花粉症患者の増加から、柔らかさ、なめらかさを有し、さらにしっとり感のある紙が求められている。
【０００３】
特許文献１には、柔らかさおよびしっとり感を向上させるために、多価アルコールを繊維ウェブに含有させることが開示されている。しかし、この方法では柔らかさおよびしっとり感の向上は得られるものの、なめらかさの向上に関しては十分でなく、また、紙力の低下が大きいという問題もある。特許文献２には、柔らかさとなめらかさを向上させるために、モノステアリルトリメチルアンモニウム塩とジグリセリンをティシューペーパーに含有させることが記載されている。しかしながら、この方法ではなめらかさと柔らかさの向上は得られるが、十分な紙力を得られない場合がある。さらに、特許文献３には、柔らかさを向上させるために、多価アルコールのアルキレンオキシド付加物を含有する処理剤で紙類を処理することが開示されている。しかしながら、この方法では柔らかさの向上は得られるものの、しっとり感に関しては十分でない場合があり、さらに十分な紙力が得られない場合があるという問題がある。特許文献４には、柔らかさを向上させるために、二塩基酸とジオールのエステル化物を含有する処理剤で紙類を処理することが開示されている。しかしこの方法は柔らかさを十分満足させるものではなかった。
【０００４】
このように、これらの方法では、十分な紙力を維持させながら、紙に良好な柔らかさ、なめらかさとしっとり感をバランスよく付与するという点において必ずしも十分とはいえない。
【先行技術文献】
【特許文献】
【０００５】
【特許文献１】特開平５−１５６５９６号公報
【特許文献２】特開平７−１０９６９３号公報
【特許文献３】特開２００４−８４１１６号公報
【特許文献４】特開２００３−１３８４９８号公報
【発明の概要】
【発明が解決しようとする課題】
【０００６】
本発明の目的は、紙に良好な柔らかさ、なめらかさとしっとり感をバランスよく付与することができ、かつ紙力の低下を抑制することができる衛生紙用柔軟剤を提供することにある。
【課題を解決するための手段】
【０００７】
本発明者らは、上記従来の課題を解決するために鋭意検討した結果、特定のアルキレンオキシド誘導体とグリセリンを組み合わせた衛生紙用柔軟剤が上記目的を達成できることを見出し、本発明を完成するに至った。
【０００８】
すなわち本発明は、式（１）で表されるアルキレンオキシド誘導体１〜５０質量％、およびグリセリン５０〜９９質量％からなる衛生紙用柔軟剤である。
【０００９】
ＲＯ（ＥＯ）m （ＰＯ）n Ｈ  ・・・（１）
（Ｒは水素原子または炭素数１〜４の炭化水素基である。ＥＯはオキシエチレン基、ＰＯはオキシプロピレン基を示す。ｍはオキシエチレン基の平均付加モル数で４０〜３００であり、ｎはオキシプロピレン基の平均付加モル数で２０〜１５０であり、かつｍ／ｎ＝３０／７０〜９５／５である。ＥＯとＰＯとはランダム付加である。）
【発明の効果】
【００１０】
本発明の衛生紙用柔軟剤によれば、良好な柔らかさ、なめらかさとしっとり感をバランスよく有し、かつ十分な紙力を有する紙を得ることができる。
【発明を実施するための形態】
【００１１】
以下、本発明の実施形態について説明する。本発明の衛生紙用柔軟剤は、アキレンオキシド誘導体（ａ）、およびグリセリン（ｂ）からなる。
【００１２】
〔アルキレンオキシド誘導体（ａ）〕
本発明に用いるアルキレンオキシド誘導体（ａ）は下記式（１）で表される。
【００１３】
ＲＯ（ＥＯ）m （ＰＯ）n Ｈ  ・・・（１）
【００１４】
式（１）中のＲは水素原子または炭素数１〜４の炭化水素基である。炭化水素基は直鎖でも分岐鎖でも良く、飽和でも不飽和でも良い。炭素数１〜４の炭化水素基としてはメチル基、エチル基、プロピル基、イソプロピル基、ブチル基、イソブチル基、アリル基等が挙げられる。
【００１５】
ＥＯはオキシエチレン基、ＰＯはオキシプロピレン基を示し、ｍはオキシエチレン基の平均付加モル数で４０〜３００であり、好ましくは６０〜２５０である。ｍが４０未満の場合は十分ななめらかさが得られない場合があり、また十分な紙力が得られない場合がある。ｎはオキシプロピレン基の平均付加モル数で２０〜１５０であり、好ましくは３５〜１３０である。ｎが２０未満の場合は十分な柔らかさが得られない場合がある。ｍ＋ｎは６０〜４５０であり、好ましくは９５〜３８０である。ｍ＋ｎが６０未満の場合は十分な紙力が得られない場合がある。またｍ／ｎ＝３０／７０〜９５／５であり、好ましくは５０／５０〜８５／１５である。ｍ／ｎが３０／７０未満では十分なしっとり感が得られない場合があり、９５／５を超えると十分な柔らかさが得られない場合がある。さらに、ＥＯとＰＯとはランダム付加である。
【００１６】
なお、アルキレンオキシド誘導体（ａ）の使用に際しては、単独若しくは２種以上の混合物として用いることができる。式（１）で表されるアルキレンオキシド誘導体（ａ）は、公知の方法により製造することができ、また工業的に入手可能なものを用いることができる。
【００１７】
〔グリセリン（ｂ）〕
本発明に用いるグリセリン（ｂ）は、工業的に入手可能なものを用いることができ、油脂を原料として加水分解により得られる天然グリセリンでも、石油を原料として得られる合成グリセリンでも良い。また油脂の由来はヤシ油などの植物由来でも、牛脂などの動物由来でもよい。
【００１８】
〔衛生紙用柔軟剤〕
本発明の衛生紙用柔軟剤は、アルキレンオキシド誘導体（ａ）およびグリセリン（ｂ）からなり、アルキレンオキシド誘導体（ａ）１〜５０質量％、好ましくは５〜２５質量、およびグリセリン（ｂ）５０〜９９質量％、好ましくは７５〜９５質量％からなる。なお、アルキレンオキシド誘導体（ａ）とグリセリン（ｂ）の総量は１００質量％である。
【００１９】
アルキレンオキシド誘導体（ａ）が１質量％未満であり、グリセリン（ｂ）が９９質量％を超える場合には十分ななめらかさが得られない場合があり、また十分な紙力が得られない場合がある。アルキレンオキシド誘導体（ａ）が５０質量％を超え、グリセリン（ｂ）が５０質量％未満である場合には十分なしっとり感が得られない場合がある。
【００２０】
本発明の衛生紙用柔軟剤は、取扱いを良くするために、水などの溶媒を用いて希釈して使用することができる。また、本衛生紙用柔軟剤には、油性成分、界面活性剤、防腐剤などの紙用添加剤として用いられる他の成分を配合してもよい。本発明の衛生紙用柔軟剤が塗布される衛生紙としては、ティシューペーパー、トイレットペーパー、キッチンペーパー等が挙げられる。
【００２１】
本発明の衛生紙用柔軟剤の具体的な塗布方法としては、転写印刷方式、コーター、スプレーなどが挙げられる。好ましくは転写印刷方式である。本発明の衛生紙用柔軟剤を衛生紙原紙に塗布してから２枚重ねの加工を行ってもよく、あるいは２枚重ねの加工を行った後に塗布を行ってもよい。衛生紙に塗布する柔軟剤（有効分）の量は、紙に対して、１０〜３０質量％が好ましい。
【実施例】
【００２２】
以下、本発明を実施例および比較例により具体的に説明する。
【００２３】
〔柔軟剤希釈液１の調製例〕
攪拌機、冷却管、温度計を備えた５００ｍＬの４つ口フラスコに表１に示すアルキレンオキシド誘導体１を１３ｇ、グリセリンを８７ｇ、イオン交換水を３００ｇ仕込み５０℃で３０分間撹拌し、有効分が２５質量％である柔軟剤希釈液１を得た。
【００２４】
〔柔軟剤希釈液２〜１４の調製例〕
表１に示すアルキレンオキシド誘導体２〜１０を表２に示す割合で用いて、柔軟剤希釈液１の調製例と同様の操作を行い、有効分が２５質量％である柔軟剤希釈液２〜１４を得た。
【００２５】
【表１】
0005760933.tif 000002
【００２６】
〔柔軟紙の調製〕
柔軟剤希釈液１をハンドスプレーにてティシューペーパー１枚（市販されている２枚１組を１枚とする）に噴霧し、柔軟剤希釈液１を塗布したティシューペーパーを合計３０枚用意した。噴霧前後のティシューの質量差から求めた柔軟剤希釈液１の平均塗布量は噴霧前のティシュー質量に対して７９．２質量％（有効分１９. ８質量％）であった。同様に、柔軟剤希釈液２〜１４についても、それぞれの希釈液をティシューペーパー１枚に噴霧し、噴霧したティシューペーパーを合計３０枚ずつ用意し、各希釈液について柔軟剤の平均塗布量を求め、その結果を表２および表３に記載した。各柔軟剤が塗布されたティシューを室温２３℃、湿度３０％の恒温恒湿室で４８時間保管した後に以下の評価を行った。
【００２７】
〔柔らかさ、なめらかさおよびしっとり感の評価〕
調湿したティシュー３枚を重ねて女性評価者が片手で握り、柔らかさ、なめらかさおよびしっとり感についてそれぞれ以下の評価基準に従い官能評価を行った。評価者１０人の評価値合計を求めて、評価値合計が２０点以上であり、かつ１点をつけた評価者がいないものをそれぞれ良好である（○）と評価し、それ以外を不良（×）と評価した。その結果を表２および表３に記載した。
【００２８】
（柔らかさ官能評価）  （評価値）
・非常に柔らかい：３点
・柔らかい：２点
・やや硬い：１点
（なめらかさ官能評価）  （評価値）
・非常になめらかである：３点
・なめらかである：２点
・なめらかでない：１点
（しっとり感官能評価）  （評価値）
・非常にしっとりしている：３点
・しっとりしている：２点
・しっとりしていない：１点
【００２９】
〔紙力の評価〕
調湿したティシューを１２０×１５ｍｍに裁断し、引張圧縮試験機（（株）今田製作所製、ＳＶ−２０１−０−ＳＨ）を用いて紙の繊維方向の引張り強度を測定した。各例で５回測定を行って平均を求め、その平均値を表２および表３に記載した。柔軟剤塗布前のティシューの引張り強度（２. ０Ｎ）に対して紙力低下が２５％以下（１. ５Ｎ以上）である場合を紙力良好（○）と評価し、紙力低下が２５％を超える（１. ５Ｎ未満）場合を紙力不十分（×）と評価した。
【００３０】
（引張り強度）・紙力低下が２５％以下（１. ５Ｎ以上）：紙力良好（○）
・紙力低下が２５％を超える（１. ５Ｎ未満）：紙力不十分（×）
【００３１】
【表２】
0005760933.tif 000003
【００３２】
【表３】
0005760933.tif 000004
【００３３】
表２に示すように実施例１〜８の衛生紙用柔軟剤では、いずれも３０％の低湿度の条件下においても、良好な柔らかさ、なめらかさおよびしっとり感がバランスよく向上され、かつ十分な紙力を有する紙を得ることができる。
【００３４】
これに対して比較例１では、本発明のアルキレンオキシド誘導体（ａ）を用いず、グリセリンのみを塗布しているので、十分ななめらかさと十分な紙力が得られていない。比較例２では、アルキレンオキシド誘導体７のｍおよびｍ／ｎのモル比が本発明の範囲を外れているので、十分な柔らかさが得られていない。比較例３では、アルキレンオキシド誘導体８のｍ／ｎのモル比が本発明の範囲を外れているので、十分なしっとり感が得られていない。比較例４では、アルキレンオキシド誘導体９のｍおよびｎの付加モル数が本発明の範囲の下限値より小さいので、十分ななめらかさと十分な紙力が得られていない。比較例５では、アルキレンオキシド誘導体（ａ）およびグリセリン（ｂ）の質量比が本発明の範囲を外れているので、十分なしっとり感が得られていない。比較例６では、エステル化物を用いているので、十分な柔らかさが得られていない。
【産業上の利用可能性】
【００３５】
本発明の衛生紙用柔軟剤は、十分な紙力を維持させながら、紙に良好な柔らかさ、なめらかさとしっとり感をバランスよく付与することができるので、肌に直接触れて使用される衛生紙、とりわけティシューペーパー、トイレットペーパー、キッチンペーパーなどに好適に使用することができる。